【手続補正書】
【提出日】平成22年9月24日(2010.9.24)
【手続補正１】
【補正対象書類名】特許請求の範囲
【補正対象項目名】全文
【補正方法】変更
【補正の内容】
【特許請求の範囲】
【請求項１】
第１の伝送フォーマットに従って一期間にわたって共有媒体を確保するための信号を送信し、かつ第２の伝送フォーマットに従って確保された期間中に送信し、
確保された期間は、第１の伝送フォーマットに従う一区間に対応し、第２の伝送フォーマットに従う少なくとも一区間を含む、送信機と、
確保された期間中に第２の伝送フォーマットに従って受信するための受信機とを含む機器。
【請求項２】
第１の通信フォーマットの少なくとも一部分に従って送信し、かつ第２の通信フォーマットに従って送信するための送信機と、
第２の通信フォーマットに従って受信するための受信機と、
第２の通信フォーマットに従って確保された期間中に通信を行うために、一期間にわたって共有媒体を確保するための手段とを含み、
確保された期間は、第１の通信フォーマットに従う一区間に対応し、第２の通信フォーマットに従う少なくとも一区間を含む、機器。
【請求項３】
第１の伝送フォーマットに従って一期間にわたって共有媒体を確保するための信号を送信し、
確保された期間は、第１の伝送フォーマットに従う一区間に対応し、第２の伝送フォーマットに従う少なくとも一区間を含む、手段と、
第２の伝送フォーマットに従って確保された期間中に通信するための手段とを含む無線通信システム。
【請求項４】
第１の伝送フォーマットに従って通信する１つ以上の装置と第２の伝送フォーマットに従って通信する１つ以上の装置との間の共有媒体上で相互運用するための方法であって、
第１の伝送フォーマットに従って一期間にわたって共有媒体を確保するための信号を送信し、
確保された期間は、第１の伝送フォーマットに従う一区間に対応し、第２の伝送フォーマットに従う少なくとも一区間を含む、ことと、
第２の伝送フォーマットに従って確保された期間中に通信することとを含む方法。
【請求項５】
確保のための信号を送信する前に第１の伝送フォーマットに従ってアクセスを競合することをさらに含む請求項４に記載の方法。
【請求項６】
共有媒体へのアクセスを要求することと、
要求に応じて割当を受信することとをさらに含む請求項４に記載の方法。
【請求項７】
前記信号が、ＩＥＥＥ８０２．１１のプロトコルに従う送信機会（ＴＸＯＰ）である請求項４に記載の方法。
【請求項８】
一期間にわたって共有媒体を確保するための信号を送信することが、送信期間を示す送信要求（ＲＴＳ）メッセージを送信することをさらに含む、請求項４に記載の方法。
【請求項９】
一期間にわたって共有媒体を確保するための信号を送信することが、送信期間を示す送信準備完了（ＣＴＳ）メッセージを送信することをさらに含む、請求項４に記載の方法。
【請求項１０】
第１の伝送フォーマットがＩＥＥＥ８０２．１１フォーマットである請求項４に記載の方法。
【請求項１１】
第２の伝送フォーマットが、
パイロットと、
統合したポーリング信号と、
前記統合したポーリング信号に従う、アクセスポイントからリモート端末への１つ以上のフレームとを含む時分割多重化（ＴＤＤ）フレーム区間を含む請求項４に記載の方法。
【請求項１２】
第２の伝送フォーマットが、
パイロットと、
統合したポーリング信号と、
前記統合したポーリング信号に従う、リモート端末からアクセスポイントへの１つ以上のフレームとを含む時分割多重化（ＴＤＤ）フレーム区間を含む請求項４に記載の方法。
【請求項１３】
第２の伝送フォーマットが、
パイロットと、
統合したポーリング信号と、
前記統合したポーリング信号に従う、リモート端末からリモート端末への１つ以上のフレームとを含む時分割多重化（ＴＤＤ）フレーム区間を含む請求項４に記載の方法。
【請求項１４】
第２の伝送フォーマットが、
パイロットと、
統合したポーリング信号と、
前記統合したポーリング信号に従う、１つ以上のランダムアクセスセグメントとを含む時分割多重化（ＴＤＤ）フレーム区間を含む請求項４に記載の方法。
【請求項１５】
複数の通信フォーマット中の第１のフォーマットに従って共有媒体上で通信するための第１の期間を割当てる手段と、
複数の通信フォーマット中の第２のフォーマットに従って共有媒体上で通信するための第２の期間を割当てる手段とを含み、
第１の期間は第２の期間を含む、機器。
【請求項１６】
第２の期間中に空間処理のための手段をさらに含む請求項１５に記載の機器。
【請求項１７】
以下のステップ、即ち、
複数の通信フォーマット中の第１のフォーマットに従って共有媒体上で通信するための第１の期間を割当てることと、
複数の通信フォーマット中の第２のフォーマットに従って共有媒体上で通信するための第２の期間を割当てることとを実行するための動作が可能であり、
第１の期間は第２の期間を含む、コンピュータが読み出し可能な記録媒体。
【請求項１８】
以下のステップ、即ち、
統合したポーリング信号を含む時分割多重化（ＴＤＤ）フレーム区間を送信することと、
第２の期間中に統合したポーリング信号に従って１つ以上のフレームを送信することと、
統合したポーリング信号に従って１つ以上のフレームを受信することとを実行するための動作がさらに可能な請求項１７に記載の記録媒体。
【請求項１９】
複数の通信フォーマット中の第１のフォーマットに従って共有媒体上で通信するための第１の期間を割当てることと、
複数の通信フォーマット中の第２のフォーマットに従って共有媒体上で通信するための第２の期間を割当てることとを含み、
第１の期間は第２の期間を含む、共有媒体上の通信方法。
【請求項２０】
複数の通信フォーマット中の少なくとも１つが空間処理を含む請求項１９に記載の方法。
【請求項２１】
空間処理を含む複数の通信フォーマット中の少なくとも１つが多入力多出力（ＭＩＭＯ）通信フォーマットである請求項２０に記載の方法。
【請求項２２】
ＭＩＭＯ通信フォーマットが多入力１出力（ＭＩＳＯ）通信フォーマットである請求項２１に記載の方法。
【請求項２３】
複数の通信フォーマット中の少なくとも１つが、
パイロットと、
統合したポーリング信号と、
統合したポーリング信号に従う１つ以上のフレームとを含む時分割多重化（ＴＤＤ）フレーム区間を含む請求項１９に記載の方法。
【請求項２４】
前記少なくとも１つのフレームがアクセスポイントからリモート端末への通信を含む請求項２３に記載の方法。
【請求項２５】
前記少なくとも１つのフレームがリモート端末からアクセスポイントへの通信を含む請求項２３に記載の方法。
【請求項２６】
前記少なくとも１つのフレームがリモート端末からリモート端末への通信を含む請求項２３に記載の方法。
【請求項２７】
前記少なくとも１つのフレームが共有媒体へのランダムアクセスを含む請求項２３に記載の方法。
【請求項２８】
複数の通信フォーマット中の少なくとも１つが８０２．１１  ＥＤＣＡフォーマットと実質的に同じである請求項１９に記載の方法。
【請求項２９】
複数の通信フォーマット中の少なくとも１つが８０２．１１  ＣＡＰフォーマットと実質的に同じである請求項１９に記載の方法。
【請求項３０】
複数の通信フォーマット中の少なくとも１つがＳＣＡＰフォーマットと実質的に同じである請求項１９に記載の方法。
【請求項３１】
複数の通信フォーマット中の第１のフォーマットに従って共有媒体上で通信するための一連の１つ以上の第３の期間と、複数の通信フォーマット中の第２のフォーマットに従って共有媒体上で通信するための一連の１つ以上の第４の期間とを割当てることをさらに含み、一連の第３の期間と一連の第４の期間は分散している請求項１９に記載の方法。
【請求項３２】
分散を、一連の第３の期間の間隔が最大時間区間となるように選択した請求項３１に記載の方法。
【請求項３３】
第１の期間が１つ以上のＳＣＡＰ区間を含む請求項１９に記載の方法。
【請求項３４】
第２の期間が１つ以上の８０２．１１  ＥＤＣＡの区間を含む請求項３３に記載の方法。